(57)【要約】【課題】禁煙席及び喫煙席のいずれの遊技機も構成することができ、特に、遊技者によって禁煙席の遊技機から喫煙席の遊技機に勝手に変更されることを防止できる遊技機における灰皿の取付構造を提供すること。【解決手段】灰皿３は、パチンコ遊技機１における前面パネル２の取付面部２１に取り付けてなる。灰皿３は、回動軸部３２の軸方向Ｌに移動させることによって、取付面側係合部２２と灰皿側係合部３３とが係合する係合位置３０１と、これらの係合が解除される係合解除位置３０２とに変更可能であり、回動軸部３２の軸方向Ｌ回りに回動させて係合位置３０１にしたときには、灰皿本体部３１の受凹部３１１が上方を向く喫煙状態３０３と、下方を向く禁煙状態３０４とに固定可能である。取付面部２１は、灰皿３の係合解除位置３０２への移動を阻止する阻止部材４を有しており、阻止部材４は、取付面部２１の内部に収納されている。【選択図】図１
2005296123.tif 000002
【特許請求の範囲】
【請求項１】
遊技機の前面側に、灰皿を取り付けてなる構造において、
上記灰皿は、上記遊技機の取付面部に略直交して取り付けられる回動軸部と、煙草の吸殻を受けるための受凹部を形成してなる灰皿本体部と、上記取付面部に設けた取付面側係合部と係合する灰皿側係合部とを有しており、
また、上記灰皿は、上記回動軸部の軸方向に移動させることによって、上記取付面側係合部と上記灰皿側係合部とが係合する係合位置と、上記取付面側係合部と上記灰皿側係合部との係合が解除される係合解除位置とに変更可能であり、かつ、上記回動軸部の軸方向回りに回動させて上記係合位置に移動させたときには、上記受凹部が上方を向く喫煙状態と、上記受凹部が下方を向く禁煙状態とに固定可能であり、
上記取付面部と上記灰皿とのいずれかは、該灰皿が上記係合位置から上記係合解除位置に移動することを阻止することができる阻止部材を有しており、該阻止部材は、上記取付面部の内部に収納されていることを特徴とする遊技機における灰皿の取付構造。
【請求項２】
請求項１において、上記阻止部材は、上記取付面部の裏面側に配設されている一方、上記灰皿における上記回動軸部の先端には、該回動軸部よりも拡径したストッパー部材が配設されており、
上記灰皿は、上記係合位置にある状態において、上記ストッパー部材が上記阻止部材に係止されることによって、上記係合解除位置への移動が阻止されるよう構成されていることを特徴とする遊技機における灰皿の取付構造。
【請求項３】
請求項１又は２において、上記取付面側係合部は、上記取付面部の表面側に形成されていると共に、上記灰皿側係合部は、上記灰皿本体部の裏面側に形成されており、
上記灰皿は、上記回動軸部の軸方向に沿って引き出すことによって、上記取付面側係合部と上記灰皿側係合部との係合が解除されて、上記係合位置から上記係合解除位置へ移動可能であることを特徴とする遊技機における灰皿の取付構造。
【発明の詳細な説明】
【技術分野】
【０００１】
本発明は、パチンコ遊技機、アレンジボール遊技機、遊技球、メダル、コイン等を遊技媒体として使用するスロットマシーン等の遊技機に関し、特に煙草の吸殻を受けるための灰皿の取付構造に関する。
【背景技術】
【０００２】
例えば、パチンコ遊技機等における本体枠の前面には、遊技者が煙草の吸殻（灰等のカスも含む。）を捨てることができる灰皿が配設されている。
そして、灰皿は、煙草の吸殻を受ける受凹部を有しており、この受凹部を上方及び下方のいずれにも向けることができるよう回動可能に本体枠に配設されている。そして、灰皿の受凹部を下方に向けたときには、これに保持した煙草の吸殻を、清掃用箱等に回収することができる。
【０００３】
このような灰皿の取付構造としては、例えば、特許文献１に示すものがある。特許文献１においては、灰皿を前面枠と直交する支軸により軸支しており、この灰皿を前面枠と平行な方向に回動し得るようにしている。これにより、遊技者の不注意によって灰皿が反転されてしまうことを防止し、床面や遊技者の衣服が煙草の吸殻、灰で汚れないようにすることができる。
【０００４】
しかしながら、パチンコ遊技機においては、灰皿が使用可能な喫煙状態を形成するだけでなく、灰皿を使用不可にする禁煙状態を形成したい場合もある。そして、特に、管理者は、灰皿の禁煙状態を形成したときには、禁煙席のパチンコ遊技機を維持しておきたい場合がある。そのため、管理者が禁煙席のパチンコ遊技機を維持管理するためには、遊技者によって勝手に禁煙状態から喫煙状態に変更されてしまうことを防止する工夫が必要とされる。
【０００５】
【特許文献１】特開平１０−４３４００号公報
【発明の開示】
【発明が解決しようとする課題】
【０００６】
本発明は、かかる従来の問題点に鑑みてなされたもので、禁煙席及び喫煙席のいずれの遊技機も構成することができ、特に、禁煙席の遊技機を構成したときには、遊技者によって喫煙席の遊技機に勝手に変更されてしまうことを防止することができる遊技機における灰皿の取付構造を提供しようとするものである。
【課題を解決するための手段】
【０００７】
本発明は、遊技機の前面側に、灰皿を取り付けてなる構造において、
上記灰皿は、上記遊技機の取付面部に略直交して取り付けられる回動軸部と、煙草の吸殻を受けるための受凹部を形成してなる灰皿本体部と、上記取付面部に設けた取付面側係合部と係合する灰皿側係合部とを有しており、
また、上記灰皿は、上記回動軸部の軸方向に移動させることによって、上記取付面側係合部と上記灰皿側係合部とが係合する係合位置と、上記取付面側係合部と上記灰皿側係合部との係合が解除される係合解除位置とに変更可能であり、かつ、上記回動軸部の軸方向回りに回動させて上記係合位置に移動させたときには、上記受凹部が上方を向く喫煙状態と、上記受凹部が下方を向く禁煙状態とに固定可能であり、
上記取付面部と上記灰皿とのいずれかは、該灰皿が上記係合位置から上記係合解除位置に移動することを阻止することができる阻止部材を有しており、該阻止部材は、上記取付面部の内部に収納されていることを特徴とする遊技機における灰皿の取付構造にある（請求項１）。
【０００８】
本発明の灰皿の取付構造は、遊技機の取付面部に略直交して灰皿を取り付けてなるものであって、灰皿を喫煙状態と禁煙状態とに回動させることが可能である。そして、本発明においては、特に、遊技者が灰皿を禁煙状態から喫煙状態へ勝手に変更させることができない工夫がなされている。
すなわち、上記灰皿は、上記回動軸部、上記灰皿本体部及び上記灰皿側係合部を有しており、遊技機の取付面部又は灰皿のいずれかは、上記阻止部材を有している。そして、灰皿は、回動軸部の軸方向に移動させることによって、上記係合位置と係合解除位置とに変更可能であり、かつ、係合位置においては、灰皿本体部の受凹部が上方を向く喫煙状態と、下方を向く禁煙状態とに固定可能である。
【０００９】
そして、特に、遊技機の管理者は、遊技機において灰皿を禁煙状態にしたときには、禁煙席の遊技機を構成することができる。この灰皿の禁煙状態において、管理者は、上記阻止部材を灰皿の移動を阻止する位置に固定して、灰皿の係合位置から係合解除位置への移動を阻止することができる。そして、阻止部材は、取付面部の内部に収納されており、禁煙席の遊技機において遊技者が遊技を行う際に、灰皿は、遊技者によって禁煙状態から喫煙状態に勝手に変更されてしまうことがない。
【００１０】
これにより、灰皿を確実に禁煙状態に維持しておくことができ、禁煙席の遊技機を確実に維持することができる。
また、上記禁煙席の遊技機は、ホール等のフロア（島）において配設された複数の遊技機に対して同時に構成することができ、複数の遊技機を同時に禁煙状態に維持して、禁煙フロア（島）を構成することもできる。
【００１１】
一方、遊技機の管理者は、遊技機において灰皿を喫煙状態にしたときには、喫煙席の遊技機を構成することができる。そして、この灰皿の喫煙状態において、管理者は、灰皿が阻止部材によって移動が阻止される状態と、阻止部材によって移動が阻止されない状態とのいずれをも形成することができる。
すなわち、喫煙席の遊技機において、阻止部材によって灰皿の移動を阻止する状態を形成したときには、遊技者は、灰皿の灰皿本体部における受凹部に煙草の吸殻を捨てることができる一方、灰皿は、阻止部材によって係合解除位置に移動することが阻止される。そのため、喫煙席の遊技機において遊技者が遊技を行う最中に、灰皿を不意に係合解除位置に移動させてしまうことがなく、灰皿を確実に喫煙状態に維持しておくことができる。
【００１２】
そして、灰皿の灰皿本体部における受凹部に捨てられた煙草の吸殻を、清掃用箱等へ回収する際には、遊技機の管理者又は清掃者は、例えば、阻止部材を外部に露出させて操作可能にするか又は遊技機の裏面側に廻って、取付面部の内部に配設された阻止部材を操作し、灰皿の上記係合解除位置への移動阻止状態を解除する。そして、この状態で、灰皿を回動軸部の軸方向に移動させることにより、取付面側係合部と灰皿側係合部との係合が解除され、灰皿を回動軸部の軸方向回りに回動させることにより、灰皿本体部の受凹部を下方に向けることができる。これにより、受凹部に捨てられた煙草の吸殻を清掃用箱等へ回収することができる。
【００１３】
また、喫煙席の遊技機において、阻止部材によって灰皿の移動を阻止しない状態を形成したときには、遊技機の管理者又は清掃者は、灰皿を回動軸部の軸方向に移動させ、回動軸部の軸方向回りに回動させることにより、灰皿本体部の受凹部に捨てられた煙草の吸殻を極めて容易に清掃用箱等へ回収することができる。
【００１４】
それ故、本発明の灰皿の取付構造は、禁煙席及び喫煙席のいずれの遊技機も構成することができ、特に、禁煙席の遊技機を構成したときには、遊技者によって喫煙席の遊技機に勝手に変更されてしまうことを防止することができる。
【発明を実施するための最良の形態】
【００１５】
上述した本発明における好ましい実施の形態につき説明する。
本発明において、上記阻止部材が上記取付面部の内部に収納されている状態とは、当該阻止部材が、遊技を行う遊技者によって操作することができない状態に置かれていることをいう。特に、この阻止部材が取付面部の内部に収納された状態は、当該阻止部材を、遊技を行う遊技者によって視認することができない状態に置いて形成することが好ましい。
【００１６】
また、上記阻止部材は、上記取付面部の裏面側に配設されている一方、上記灰皿における上記回動軸部の先端には、該回動軸部よりも拡径したストッパー部材が配設されており、上記灰皿は、上記係合位置にある状態において、上記ストッパー部材が上記阻止部材に係止されることによって、上記係合解除位置への移動が阻止されるよう構成することが好ましい（請求項２）。
この場合には、上記灰皿の回動軸部の先端に配設したストッパー部材と、上記取付面部の裏面側に配設した阻止部材とにより、簡単な構造で灰皿の係合解除位置への移動を阻止することができる。
【００１７】
また、上記取付面側係合部は、上記取付面部の表面側に形成されていると共に、上記灰皿側係合部は、上記灰皿本体部の裏面側に形成されており、上記灰皿は、上記回動軸部の軸方向に沿って引き出すことによって、上記取付面側係合部と上記灰皿側係合部との係合が解除されて、上記係合位置から上記係合解除位置へ移動可能であることが好ましい（請求項３）。
この場合には、灰皿を遊技機の取付面部から離れる方向に引き出すことによって、灰皿本体部の受凹部の下方に清掃用箱等を配置することが容易になる。そのため、この清掃用箱等へ受凹部に保持した煙草の吸殻を回収することが一層容易になる。
また、取付面側係合部を取付面部の表面側に形成し、灰皿側係合部を灰皿本体部の裏面側に形成したことにより、これらの形成が容易であると共に、灰皿と取付面部との係合を確実に行うことができる。
【実施例】
【００１８】
以下に、本発明の遊技機における灰皿の取付構造にかかる実施例につき、図面と共に説明する。
（実施例１）
本例の灰皿３の取付構造は、図１〜図７に示すごとく、パチンコ遊技機１における前面パネル２の取付面部２１に、灰皿３を取り付けてなる構造である。
この灰皿３は、図１、図２に示すごとく、上記取付面部２１に略直交して取り付けられる回動軸部３２と、灰等のカスも含む煙草の吸殻を受けるための受凹部３１１を形成してなる灰皿本体部３１と、取付面部２１に設けた取付面側係合部２２と係合する灰皿側係合部３３とを有している。
【００１９】
また、灰皿３は、回動軸部３２の軸方向Ｌに移動させることによって、取付面側係合部２２と灰皿側係合部３３とが係合する係合位置３０１（図１、図２参照）と、取付面側係合部２２と灰皿側係合部３３との係合が解除される係合解除位置３０２（図３、図４参照）とに変更可能である。また、灰皿３は、回動軸部３２の軸方向Ｌの回りに回動させて係合位置３０１に移動させたときには、灰皿本体部３１の受凹部３１１が上方を向く喫煙状態３０３（図２参照）と、下方を向く禁煙状態３０４（図６参照）とに固定可能である。
さらに、図８〜図１０に示すごとく、取付面部２１と灰皿３とのいずれかは、灰皿３が係合位置３０１から係合解除位置３０２に移動することを阻止する阻止部材４を有しており、この阻止部材４は、取付面部２１の内部に収納されている。
以下に、これを詳説する。
【００２０】
図７に示すごとく、本例のパチンコ遊技機１は、このパチンコ遊技機１における外枠５０と、この外枠５０の前面側に配設した本体枠（前枠）５１と、この本体枠５１の前面側に開閉可能に配設したガラス扉５１１とを有している。また、本体枠５１におけるガラス扉５１１の後方位置には、パチンコ遊技を行うための遊技領域を形成する遊技盤５２が配設されている。また、本体枠５１におけるガラス扉５１１の配設位置よりも下方位置には、意匠性を考慮した前面パネル２が配設されており、この前面パネル２には、本体枠５１に配設した球払出装置５４から払い出される遊技球を貯留するための球皿５５が配設されている。
【００２１】
図１、図３に示すごとく、本例の灰皿３は、前面パネル２の取付面部２１の奥側にスライドして係合位置３０１（図１参照）に位置変更され、前面パネル２の取付面部２１の手前側にスライドして係合解除位置３０２（図３参照）に位置変更される。
また、灰皿３の回動軸部３２の先端（後方端面）には、この回動軸部３２よりも拡径したストッパー部材３２１が配設されている。このストッパー部材３２１は、円板形状を有しており、灰皿３を喫煙状態３０３と禁煙状態３０４とのいずれに回動させたときにおいても、阻止部材４と接触して、灰皿３を手前に引出不能にすることができる。これにより、図１、図９、図１０に示すごとく、阻止部材４を阻止位置４０２へ移動させたときには、灰皿３は、係合解除位置３０２へスライドさせることができなくなる。
【００２２】
図７に示すごとく、本例の灰皿３は、前面パネル２における取付面部２１に配設されており、パチンコ遊技機１の前面側から見て球皿５５の左側に配設されている。
また、図１に示すごとく、本例の灰皿３は、灰皿本体部３１の裏面から後方に向けて回動軸部３２を立設してなり、灰皿側係合部３３は、灰皿本体部３１の裏面に形成されている。
【００２３】
図１に示すごとく、前面パネル２の取付面部２１には、灰皿３の回動軸部３２の回動を保持するための回動保持部２３が形成されている。この回動保持部２３は、パチンコ遊技機１の前方側及び後方側に向けて突出する筒形状を有しており、その内周側に回動軸部３２を挿入配置可能な挿入配置穴２３１を有している。
また、回動保持部２３の外周側には、灰皿３を係合位置３０１へと付勢するための付勢バネ２４が配設されている。本例の付勢バネ２４は、圧縮バネであり、図３に示すごとく、灰皿３を手前側に引き出して係合解除位置３０２へスライドさせると、前面パネル２の取付面部２１の裏面２０２と、回動軸部３２の先端に配設したストッパー部材３２１との間に挟まれて圧縮され、灰皿３を奥側へ戻そうとする付勢力を発生させるものである。
また、灰皿３の回動軸部３２は、その軸方向Ｌに回動保持部２３内をスライド可能になっている。
【００２４】
また、図１、図２に示すごとく、本例の灰皿側係合部３３は、灰皿本体部３１の裏面から突出形成された複数の係合突起３３Ａ、Ｂであり、本例の取付面側係合部２２は、係合突起３３Ａ、Ｂを挿入可能で、前面パネル２の取付面部２１の前面２０１に貫通形成された複数の係合穴２２Ａ、Ｂである。また、係合突起３３Ａ、Ｂは、回動軸部３２の左右に１つずつ合計２つが水平方向に向けて形成されており、係合穴２２Ａ、Ｂもまた、回動保持部２３の左右に１つずつ合計２つが水平方向に向けて形成されている。
【００２５】
そのため、灰皿３は、喫煙状態３０３にしたときには、一方の係合突起３３Ａと一方の係合穴２２Ａとが係合すると共に他方の係合突起３３Ｂと他方の係合穴２２Ｂとが係合して、回動が固定される。一方、灰皿３は、喫煙状態３０３から略１８０°回動させて、禁煙状態３０４にしたときには、一方の係合突起３３Ａと他方の係合穴２２Ｂとが係合すると共に他方の係合突起３３Ｂと一方の係合穴２２Ａが係合して、回動が固定される。
これにより、灰皿３は、回動軸部３２の軸方向Ｌの回りに略１８０°だけ回動させたときに、上記係合位置３０１に固定することができる。
【００２６】
図１、図７に示すごとく、本例の阻止部材４は、前面パネル２の取付面部２１の裏面２０２に配設されており、前面パネル２を本体枠５１に対して開けることによってはじめて操作が可能になる。
図８〜図１０に示すごとく、本例の阻止部材４は、取付面部２１の裏面２０２における面方向に向けて回動可能に配設されており、灰皿３の回動軸部３２におけるストッパー部材３２１との接触が避けられる退避位置４０１（図８参照）と、ストッパー部材３２１と接触することにより、灰皿３を係合解除位置３０２へ移動させることを防止する阻止位置４０２（図９参照）との間で回動可能である。
【００２７】
また、図８〜図１０に示すごとく、取付面部２１の裏面２０２には、阻止部材４の回動軌跡Ｘに対応する位置に係合凹凸２５が形成されており、阻止部材４の接触面（阻止部材４が取付面部２１の裏面２０２に対向する面）４１の先端部には、突起４２が形成されている。また、係合凹凸２５は、回動軌跡Ｘにおける退避位置４０１に対応する位置に退避用凹部２５１（図９参照）を有していると共に、回動軌跡Ｘにおける阻止位置４０２に対応する位置に阻止用凹部２５２（図８参照）を有している。そして、図８に示すごとく、阻止部材４を退避位置４０１に移動させたときには、その突起４２が退避用凹部２５１に配置されて、阻止部材４が退避位置４０１に維持され、一方、図９、図１０に示すごとく、阻止部材４を阻止位置４０２に移動させたときには、その突起４２が阻止用凹部２５２に配置されて、阻止部材４が阻止位置４０２に維持される。
【００２８】
また、図１、図９、図１０に示すごとく、阻止部材４を阻止位置４０２へ回動させたときには、この阻止部材４は、回動軸部３２の外周側、すなわち灰皿本体部３１とストッパー部材３２１との間に位置し、ストッパー部材３２１が阻止部材４に引っ掛かることによって、灰皿３を手前側に引き出すことを阻止することができる。
一方、図３、図８に示すごとく、灰皿３は、阻止部材４を退避位置４０１に回動させ、回動軸部３２の軸方向Ｌに沿って手前に引き出すことによって、取付面側係合部２２と灰皿側係合部３３との係合が解除されて、係合位置３０１から係合解除位置３０２へスライドさせることができる。
なお、図１１には、前面パネル２に対して、灰皿３、付勢バネ２４及びストッパー部材３２１を分解した状態を示す。
【００２９】
本例の灰皿３の取付構造は、前面パネル２の取付面部２１に略直交して灰皿３を取り付けてなるものであって、灰皿３を喫煙状態３０３と禁煙状態３０４とに回動させることが可能である。そして、本例においては、特に、遊技者が灰皿３を禁煙状態３０４から喫煙状態３０３へ勝手に変更させることができない工夫がなされている。
【００３０】
そして、図６に示すごとく、特に、パチンコ遊技機１の管理者は、パチンコ遊技機１において灰皿３を禁煙状態３０４にしたときには、禁煙席のパチンコ遊技機１を構成することができる。この灰皿３の禁煙状態３０４において、管理者は、阻止部材４を灰皿３の移動を阻止する阻止位置４０２に固定して、灰皿３の係合位置３０１から係合解除位置３０２への移動を阻止することができる（図１、図９、図１０参照）。そして、阻止部材４は、取付面部２１の内部に収納されており、禁煙席のパチンコ遊技機１において遊技者が遊技を行う際に、灰皿３は、遊技者によって禁煙状態３０４から喫煙状態３０３に勝手に変更されてしまうことがない。
【００３１】
これにより、灰皿３を確実に禁煙状態３０４に維持しておくことができ、禁煙席のパチンコ遊技機１を確実に維持することができる。
また、上記禁煙席のパチンコ遊技機１は、ホール等のフロア（島）において配設された複数のパチンコ遊技機１に対して同時に構成することができ、複数のパチンコ遊技機１を同時に禁煙状態３０４に維持して、禁煙フロア（島）を構成することもできる。
【００３２】
一方、図１、図２に示すごとく、管理者は、パチンコ遊技機１において灰皿３を喫煙状態３０３にしたときには、喫煙席のパチンコ遊技機１を構成することができる。そして、この灰皿３の喫煙状態３０３において、管理者は、阻止部材４を阻止位置４０２と退避位置４０１とのいずれにも移動（回動）させておくことができる。
すなわち、喫煙席のパチンコ遊技機１において、図９、図１０に示すごとく、阻止部材４を阻止位置４０２に維持したときには、遊技者は、灰皿３の灰皿本体部３１における受凹部３１１に煙草の吸殻を捨てることができる一方、灰皿３は、阻止部材４によって係合解除位置３０２に移動することが阻止される。そのため、喫煙席のパチンコ遊技機１において遊技者が遊技を行う最中に、灰皿３を不意に係合解除位置３０２に移動させてしまうことがなく、灰皿３を確実に喫煙状態３０３に維持しておくことができる。
【００３３】
そして、図３、図８に示すごとく、灰皿３の灰皿本体部３１における受凹部３１１に捨てられた煙草の吸殻を、清掃用箱等（図示略）へ回収する際には、パチンコ遊技機１の管理者又は清掃者は、前面パネル２を本体枠５１に対して開放して阻止部材４を操作可能にし、取付面部２１の裏面２０２に配設された阻止部材４を操作して、灰皿３の係合解除位置３０２への移動阻止状態を解除する。そして、この状態で、図３、図４に示すごとく、灰皿３を回動軸部３２の軸方向Ｌに移動させることにより、取付面側係合部２２と灰皿側係合部３３との係合が解除され、図５に示すごとく、灰皿３を回動軸部３２の軸方向Ｌの回りに回動させることにより、灰皿本体部３１の受凹部３１１を下方に向けることができる。これにより、受凹部３１１に捨てられた煙草の吸殻を清掃用箱等へ回収することができる。
【００３４】
また、喫煙席のパチンコ遊技機１において、阻止部材４を退避位置４０１に維持したときには、パチンコ遊技機１の管理者又は清掃者は、遊技者がパチンコ遊技を可能な状態においても（前面パネル２を開放しなくても）、灰皿３を回動軸部３２の軸方向Ｌに移動させ、回動軸部３２の軸方向Ｌの回りに回動させることにより、灰皿本体部３１の受凹部３１１に捨てられた煙草の吸殻を極めて容易に清掃用箱等へ回収することができる。
【００３５】
それ故、本例の灰皿３の取付構造は、禁煙席及び喫煙席のいずれのパチンコ遊技機１も構成することができ、特に、禁煙席のパチンコ遊技機１を構成したときには、遊技者によって喫煙席のパチンコ遊技機１に勝手に変更されてしまうことを防止することができる。
【００３６】
また、パチンコ遊技機１を設置する島設備には、その内部に設けられたコンベヤ等で自動的に煙草の吸殻を回収するよう構成された灰皿が配設されている場合があり、この場合には、パチンコ遊技機１における灰皿３は使用禁止状態にすることができる。すなわち、この場合に、灰皿３を禁煙状態３０４に維持しておくことにより、遊技者は、島設備側の灰皿にしか煙草の吸殻を捨てることができず、誤ってパチンコ遊技機１における灰皿３に吸殻を捨てられてしまうことを防止することができる。
【００３７】
また、灰皿３は、パチンコ遊技機１の前面側であればどこにでも配設することが可能であり、例えば、外枠５０、本体枠５１、ガラス扉５１１又は球皿５５に形成された取付面部に配設することが可能である。そして、阻止部材４は、外枠５０、本体枠５１、ガラス扉５１１又は球皿５５の裏面側に配設して、これらの内部に収納することができる。
【００３８】
（実施例２）
本例は、図１２、図１３に示すごとく、灰皿３を、パチンコ遊技機１の前面パネル２の前面側に配設した球皿５５の側部５５１に配設した例である。
また、本例の阻止部材４は、前面パネル２において、その前後方向にスライド可能に配設されており、前面パネル２及び球皿５５の内部に収納されている。この阻止部材４は、前面パネル２の裏面からのみ操作が可能であり、前面パネル２の前方側にスライドし、灰皿３の回動軸部３２におけるストッパー部材３２１と接触して、灰皿３の係合解除位置３０２へのスライドを阻止する阻止位置４０２（図１２参照）と、前面パネル２の後方側にスライドし、ストッパー部材３２１と接触しないよう退避して、灰皿３の係合解除位置３０２へのスライドを可能にする退避位置４０１（図１３参照）との間でスライド可能である。
【００３９】
また、本例の阻止部材４と前面パネル２とには、阻止部材４を阻止位置４０２又は退避位置４０１において固定するための係止部４３と被係止部２６とを有しており、係止部４３と被係止部２６との係止によって阻止部材４が不意に阻止位置４０２又は退避位置４０１にスライドしてしまうことを防止することができる。
本例においても、その他は上記実施例１と同様であり、上記実施例１と同様の作用効果を得ることができる。
【図面の簡単な説明】
【００４０】
【図１】実施例１における、喫煙状態を形成した灰皿の取付構造を上方から見た状態で示す断面説明図。
【図２】実施例１における、喫煙状態を形成した灰皿の取付構造を側方から見た状態で示す断面説明図。
【図３】実施例１における、灰皿を係合位置から係合解除位置へ移動させた状態の灰皿の取付構造を上方から見た状態で示す断面説明図。
【図４】実施例１における、灰皿を係合位置から係合解除位置へ移動させた状態の灰皿の取付構造を側方から見た状態で示す断面説明図。
【図５】実施例１における、灰皿を喫煙状態から略１８０°回動させ、灰皿本体部の受凹部を下方に向けた状態の灰皿の取付構造を側方から見た状態で示す断面説明図。
【図６】実施例１における、禁煙状態を形成した灰皿の取付構造を側方から見た状態で示す断面説明図。
【図７】実施例１における、パチンコ遊技機における灰皿の取付構造を示す斜視図。
【図８】実施例１における、退避位置にある阻止部材の周辺を本体枠の裏面側から見た状態で示す裏面図。
【図９】実施例１における、阻止位置にある阻止部材の周辺を本体枠の裏面側から見た状態で示す裏面図。
【図１０】実施例１における、阻止位置にある阻止部材の周辺を本体枠の下方から見た状態で示す裏面図。
【図１１】実施例１における、前面パネルに対して、灰皿、付勢バネ及びストッパー部材を分解した状態を側方から見た状態で示す説明図。
【図１２】実施例２における、阻止部材が阻止位置にある状態の灰皿の取付構造を上方から見た状態で示す断面説明図。
【図１３】実施例２における、阻止部材が退避位置にある状態の灰皿の取付構造を上方から見た状態で示す断面説明図。
【符号の説明】
【００４１】
１  パチンコ遊技機
２  前面パネル
２１  取付面部
２０１  表面
２０２  裏面
２２  取付面側係合部
３  灰皿
３０１  係合位置
３０２  係合解除位置
３０３  喫煙状態
３０４  禁煙状態
３１  灰皿本体部
３１１  受凹部
３２  回動軸部
３２１  ストッパー部材
３３  灰皿側係合部
４  阻止部材
Ｌ  軸方向
【図１】
2005296123.tif 000003
【図２】
2005296123.tif 000004
【図３】
2005296123.tif 000005
【図４】
2005296123.tif 000006
【図５】
2005296123.tif 000007
【図６】
2005296123.tif 000008
【図７】
2005296123.tif 000009
【図８】
2005296123.tif 000010
【図９】
2005296123.tif 000011
【図１０】
2005296123.tif 000012
【図１１】
2005296123.tif 000013
【図１２】
2005296123.tif 000014
【図１３】
2005296123.tif 000015